(57)【要約】【課題】種々の釣り目的（魚）に応じた仕掛けを施した釣り糸を、互いに絡みの発生しない状態で、事前に複数本準備しておき、釣り現場において巻き戻しを行い、釣り竿にセットするだけで、手間少なく迅速に釣りが行い得るようにする。【解決手段】道糸、針、針素、重り、サルカン、浮き止めゴム等の仕掛け部品を備えた釣り糸を巻き取る釣り糸巻き具であって、本体１を円筒状に構成し、該本体１の周面１Ａに、糸巻き溝２を周方向に沿って複数列形成し、前記周面１Ａの一部に針係止部３と道糸係止部４とを設ける。【選択図】      図６
2004313100.tif 000002
【特許請求の範囲】
【請求項１】
道糸１０、釣針１１、針素１２、重り１３、サルカン１４、浮き止めゴム等の仕掛け部品を備えた釣り糸を巻き取る釣り糸巻き具であって、
本体１を円筒状に構成し、
該本体１の周面１Ａに、糸巻き溝２を周方向に沿って複数列形成し、
前記周面１Ａの一部に針係止部３と道糸係止部４とを設けてある、
釣り糸巻き具。
【請求項２】
前記針係止部３が、前記本体１の周面１Ａの外周面部分１Ｂに設けられた係止部材で構成されている、
請求項１の釣り糸巻き具。
【請求項３】
前記糸巻き溝２の底部２Ａに、重り等の通過を許す大きさの開口５が前記周面１Ａに周方向に沿って所定の間隔で複数個形成されている、
請求項１又は請求項２の釣り糸巻き具。
【請求項４】
前記開口５の周面５ａが前記針係止部３を兼ねている、
請求項３の釣り糸巻き具。
【請求項５】
前記本体１の少なくとも一側面に、端面壁６が連設され、該端面壁６から、前記本体１と略同心状に円筒状の内周壁７が連設されている、
請求項３又は請求項４の釣り糸巻き具。
【請求項６】
前記内周壁７と本体１の内面に亘って、両者の間のリング状空間８を複数個に区画する区画壁９Ａ，９Ｂ，９Ｃ，９Ｄを所定の間隔で設けてある、
請求項５の釣り糸巻き具。
【発明の詳細な説明】
【０００１】
【発明の属する技術分野】
本発明は、釣り糸巻き具に関し、特に、道糸、針、針素、重り、サルカン（撚り戻し）、浮き止めゴム等の仕掛け部品を備えた釣り糸を巻き取る釣り糸巻き具に関する。
【０００２】
【従来の技術】
通常、一度使用した釣り糸は、その釣り目的（対象とする魚）に応じた仕掛け部品が敷設されており、その為、釣り竿にセットした状態において、同じ目的で次回に使用する分には便利であるが、釣り現場において、成果が得られない場合や別の魚を対象とする場合等には、仕掛け部品を含めて釣り糸の付け替えを行わなければならない。
【０００３】
こうした場合、通常、新たな道糸に対して、所要の仕掛け部品を取り付け、釣り竿にセットしなければならず、現場（足場の悪い磯や船上）において、こうした細かい仕掛けを行うことは難しい作業でもあるし、手間、時間を要する。
【０００４】
【発明が解決しようとする課題】
そこで、一旦使用した仕掛け（釣り糸）を簡便に再使用出来るようにするために、図７に示す如き梯子状の巻き取り具に巻き取っておいて、現場においてその釣り糸を巻き戻して釣り竿にセットすればよいようにしようとする考え方が生まれた。
【０００５】
このような巻き取り具は、梯子状に沿って通常２本の釣り糸を巻き取ることが出来るので、平板状となって嵩が低くなるという利点はあるが、梯子状の形状故に、隣接する釣り糸同士が略同一平面にあるが故に互いに絡み合う虞が多々あり、加えて、これら釣り糸に敷設の比較的大きな重り（数センチあるもの、長い形状のもの等）、サルカン等の部品が存在すると、２本の釣り糸間で、これらの部品を介して互いに絡みを発生し易いという問題もある。
【０００６】
それ故に、こうした従来の巻き取り具は、精々道糸に釣針がセットされた状態の釣り糸を巻き取っておくのに用いられており、従って、現場において、その他の仕掛け部品を、狙いの魚に応じて敷設して行かなければならないというのが現実であった。
【０００７】
本発明は、上述した現状に鑑み、種々の釣り目的（魚）に応じた仕掛けを施した釣り糸を、互いに絡みの発生しない状態で、事前に複数本準備しておき、釣り現場において巻き戻しを行い、釣り竿にセットするだけで、手間少なく迅速に釣りを行い得るようにすることを目的とする。
【０００８】
また、釣り糸に敷設の仕掛け（重り、サルカン等）を、絡みの虞れなく収納出来るようにすることで、巻き戻しをスムースに行い、セッテッングを迅速に行えるようにすることを目的とする。
【０００９】
【課題を解決するための手段】
本発明にかかる釣り糸巻き具は、上記目的を達成するために、道糸１０、釣針１１、針素１２、重り１３、サルカン１４、浮き止めゴム等の仕掛け部品を備えた釣り糸を巻き取る釣り糸巻き具であって、
本体１を円筒状に構成し、
該本体１の周面１Ａに、糸巻き溝２を周方向に沿って複数列形成し、
前記周面１Ａの一部に針係止部３と道糸係止部４とを設けてある、
という手段を講じたものである。
【００１０】
【実施の態様】
本発明の実施に際し、前記針係止部３が、前記本体１の周面１Ａの外周面部分１Ｂに設けられた別部材である係止部材で構成されているのが好ましい。
この場合、釣り糸を巻き付けても釣針が外側から見えることで、目的の釣針を選択するに際して、外側から一目して確認出来る利点がある。
【００１１】
また、前記糸巻き溝２の底部２Ａに、重り等の通過を許す大きさの開口５が前記周面１Ａに周方向に沿って所定の間隔で複数個形成されているのが好ましい。
この開口５を設けることで、釣り糸を巻いて行く途中で釣針に近い位置にある重り等を、その開口５から内部へ落とし込んで、続く釣り糸（道糸）の巻き付けに邪魔にならないようにすることができ、引いては絡みを未然に回避出来る利点がある。
【００１２】
本発明において上記開口５の周面５ａが前記針係止部３を兼ねているのが好ましい。
これによって、巻き始めに釣針を係止しておくための部材を別途設けることなく釣針を係止させることができて、構成の簡素化が図れる。ただ、釣り糸を巻き付けた状態では、釣針が下側に隠れてしまって、後に、釣り竿へのセットの際に、どのような釣針であったかの確認を一目して簡単に出来ないという問題はある。
【００１３】
更に、前記本体１の少なくとも一側面に、端面壁６が連設され、該端面壁６から、前記本体１と略同心状に円筒状の内周壁７が連設されているのが好ましい。
この場合、内周壁７の存在によって、内部に落とし込まれた重り等を受け止めて、重り等が本体１の内部でふらつくのを防止でき、隣接して巻かれた釣り糸の重りとの絡みを未然に回避出来る。
【００１４】
又、前記内周壁７と本体１の内面に亘って、両者の間のリング状空間８を複数個に区画する区画壁９Ａ，９Ｂ，９Ｃ，９Ｄを所定の間隔で設けてあるのが好ましい。
この場合、区画壁９Ａ，９Ｂ，９Ｃ，９Ｄと前記内周壁７との存在によって、内部に落とし込まれた重り等を各区画壁内部に受け入れて、重り等が本体１の内部でふらつくのを防止出来ると共に隣接して巻かれた釣り糸の重りとの絡みを確実に防止出来る。
【００１５】
本発明における本体１の構成素材としては、プラスチックの成形品、木製の削り出し、紙製、アルミ等の鋳物製等、適宜の素材を使用してよい。
また、上記開口５としては、丸孔、矩形のスリット孔等、適宜の形状の孔を形成してよく、その数、孔の大きさについても、仕掛け部品を通し得る孔であれば、適宜のものを選択出来る。
【００１６】
更に、前記針係止部３が、前記本体１の周面１Ａの外周面部分１Ｂに設けられた別部材としての係止部材で構成されるが、その係止部材としては、ゴム、軟質のプラスチック、ウレタンシート、皮革等の針が係合出来る素材であれば適宜のものを用いてよい。
【００１７】
【実施例】
以下、本発明にかかる釣り糸巻き具の好適実施例について、図面に基づき詳述するが、本発明はこれらの実施例に限定されるものではない。
【００１８】
（第１実施例）
図１及び図２に示すように、この実施例の釣り糸巻き具は、道糸１０、釣針１１、針素１２、重り１３、サルカン１４、浮き止めゴム等の仕掛け部品を備えた釣り糸を巻き取る釣り糸巻き具であって、本体１は、プラスチック成型で、直径８センチ程、長さ８センチ程度の円筒状に構成されている。
【００１９】
そして、前記本体１の周面１Ａに、糸巻き溝２を周方向に沿って、前記本体１の周面１Ａの所定の幅の外周面部分１Ｂを残して、３列形成してある。この糸巻き溝２は、釣り糸全体を巻き取っても隣接する釣り糸とが絡まない程度の凹部に形成されている。しかし、多少浅くても問題はない。また、糸巻き溝２は、複数であればよく、１０列以上であってもよいが、通常は３〜８列とし、使い勝手性の面から好ましくは３〜６列とする。
【００２０】
前記周面１Ａの一部に針係止部３と道糸係止部４とを設けてあるが、この実施例では、前記針係止部３は、前記本体１の周面１Ａの外周面部分１Ｂに設けられた係止部材で構成されている。この係止部材は、ここでは、ウレタンシートが用いられている。また、前記道糸係止部４は、前記本体１の周面１Ａに刻設された切り込み４Ａによって構成されている。この切り込み４Ａは、使い勝手性の面から１周に１〜６個程度設け、好ましくは等間隔で３個設けるのがよい。また、この切り込み４Ａに代えて、例えば、クリップの如き弾性挟持手段を敷設しておくのもよい。なお、前記道糸係止部４に針素を係止することが出来ることは勿論である（以下、同様）。
【００２１】
（第２実施例）
図３及び図４に示すように、この実施例では、第１実施例と同じように、その釣り糸巻き具は、道糸１０、釣針１１、針素１２、重り１３、サルカン１４、浮き止めゴム等の仕掛け部品（図省略につき図１参照）を備えた釣り糸を巻き取る釣り糸巻き具であって、本体１は、プラスチック成型で、直径１０センチ程、長さ１０センチ程度の円筒状に構成されている。
【００２２】
そして、前記本体１の周面１Ａに、糸巻き溝２を周方向に沿って、前記本体１の周面１Ａの所定の幅の外周面部分１Ｂを残して、４列形成してある。この糸巻き溝２は、釣り糸全体を巻き取っても隣接する釣り糸とが絡まない程度の凹部に形成されている。なお、この実施例では糸巻き溝２の数を４列としたが、糸巻き溝２は複数であればよい。ただし使い勝手性からして４〜６列程度とするのが好ましい。
【００２３】
また、前記糸巻き溝２の底部２Ａに、重り等の通過を許す大きさの開口５が前記周面１Ａに周方向に沿って所定の間隔で複数個形成されている。この実施例では、前記開口５は、矩形の長孔をもって形成してある。
更に、前記周面１Ａの一部に針係止部３と道糸係止部４とを設けてあるが、この実施例では、前記針係止部３は、前記開口５の周面５ａが前記針係止部３を兼ねている構成である。しかし、第１実施例の如き係止部材を併存させてもよい。
【００２４】
（第３実施例）
この実施例では、図５及び図６に示すように、その釣り糸巻き具は、道糸１０、釣針１１、針素１２、重り１３、サルカン１４、浮き止めゴム等の仕掛け部品（図示省略につき図１を参照）を備えた釣り糸を巻き取る釣り糸巻き具であって、本体１は、プラスチック成型で、直径１０センチ程、長さ１０センチ程度の円筒状に構成されている。
【００２５】
そして、第２実施例と同様に、前記本体１の周面１Ａに、糸巻き溝２を周方向に沿って、前記本体１の周面１Ａの所定の幅の外周面部分１Ｂを残して、４列形成してある。この糸巻き溝２は、釣り糸全体を巻き取っても隣接する釣り糸とが絡まない程度の凹部に形成されている。
【００２６】
また、前記糸巻き溝２の底部２Ａに、重り等の通過を許す大きさの開口５が前記周面１Ａに周方向に沿って所定の間隔で複数個形成されている。この実施例では、前記開口５は、矩形の長孔をもって形成してある。更に、前記周面１Ａの一部に針係止部３と道糸係止部４とを設けてあるが、この実施例では、前記第２実施例と同様に、前記針係止部３は、前記開口５の周面５ａが前記針係止部３を兼ねている構成であるが、ここでは、第１実施例の如き係止部材による針係止部３を併存させてある。
【００２７】
更に、この実施例では、前記本体１の一側面に、端面壁６が連設され、該端面壁６から、前記本体１と略同心状に円筒状の内周壁７が連設されている。この周壁６については、前記本体１の両面に設けられていてもよく、その場合、一方の周壁６を透明な素材により形成すれば、内部が見えて便利である。
【００２８】
また、前記内周壁７と本体１の内面に亘って、両者の間のリング状空間８を、前記本体１の糸巻き溝２の本数に合わせて、４個に区画する区画壁９Ａ，９Ｂ、９Ｃ，９Ｄを所定の間隔で設けてある。即ち、区画壁９Ａ，９Ｂ、９Ｃ，９Ｄによって、巻かれた釣り糸の仕掛け部品を夫々その区画室内に収納させることが出来る。
【００２９】
【発明の効果】
本発明にかかる釣り糸巻き具によれば、種々の釣り目的（魚）に応じた仕掛けを施した釣り糸を、互いに絡みの発生しない状態で、事前に複数本準備しておいて、釣り現場において本体から巻き戻しを行って釣り竿にセットするだけで、手間少なく迅速に釣りが行い得ると共に別の目的（魚）に対する釣り糸への付け替えも迅速に行ない得る利点がある。
【００３０】
また、本体に開口を形成することで、釣り糸に敷設の仕掛け（重り、サルカン等）を、釣り糸の巻き付け時に、隣接した仕掛け同士の絡みの虞れなく、これを本体の内側に収納でき、絡みのない状態で釣り糸の巻き戻しをスムースに行い、セッティングを迅速に行なえる。
【００３１】
その他の具体的な利点については、上記発明の実施の態様の項及び実施例の項において詳述した通りである。
【図面の簡単な説明】
【図１】本発明にかかる釣り糸巻き具の第１実施例を示す全体の斜視図である。
【図２】本発明にかかる釣り糸巻き具の第１実施例を示す要部の縦断側面図である。
【図３】本発明にかかる釣り糸巻き具の第２実施例を示す全体の斜視図である。
【図４】本発明にかかる釣り糸巻き具の第２実施例を示す要部の縦断側面図である。
【図５】本発明にかかる本発明にかかる釣り糸巻き具の第３実施例を示す全体の斜視図である。
【図６】本発明にかかる釣り糸巻き具の第３実施例を示す一側面図である。
【図７】従来例を示す釣り糸巻き具の全体の斜視図である。
【符号の説明】
１  本体
１Ａ  本体の周面
１Ｂ  外周面部分
２    糸巻き溝
２Ａ  溝の底部
３    針係止部
４    道糸係止部
５    開口
５ａ  開口周面
６    端面壁
７    内周壁
８    リング状空間
９Ａ  区画壁
９Ｂ  区画壁
９Ｃ  区画壁
９Ｄ  区画壁
１０  道糸
１１  釣針
１２  針素
１３  重り
１４  サルカン
【図１】
2004313100.tif 000003
【図２】
2004313100.tif 000004
【図３】
2004313100.tif 000005
【図４】
2004313100.tif 000006
【図５】
2004313100.tif 000007
【図６】
2004313100.tif 000008
【図７】
2004313100.tif 000009